(57)【特許請求の範囲】
【請求項１】
ネットワークが接続されるネットワーク制御手段と、このネットワーク制御手段とは別に設けられたイメージデータを入力する入力手段と、前記ネットワーク制御手段とは別に設けられたイメージデータを出力する出力手段と、前記ネットワーク制御手段または前記入力手段から入力されたイメージデータを格納する記憶手段と、この記憶手段に格納されるイメージデータのファイル名と格納される順に振られる文書番号とを含むＨＴＭＬファイルを作成するＨＴＭＬファイル作成手段と、前記ネットワーク制御手段を介して入力されるクライアント端末からの指示に基づいて、前記ＨＴＭＬファイル作成手段により作成されたＨＴＭＬファイルを前記クライアント端末に送信して受信リストとして表示させるとともに、前記クライアント端末からの指示に基づいて前記記憶手段に格納されたイメージデータを前記ネットワーク制御手段または前記出力手段のいずれかに出力させるＷＷＷサーバ手段とを具備するネットワーク通信装置。
【請求項２】
前記入力手段が、ＦＡＸ通信手段である請求項１記載のネットワーク通信装置。
【請求項３】
前記出力手段が、ＦＡＸ通信手段である請求項１記載のネットワーク通信装置。
【発明の詳細な説明】
【０００１】
【発明の属する技術分野】
本発明は、インターネットなどのネットワークに接続されるネットワークファクシミリ装置などのネットワーク通信装置に関するものである。
【０００２】
【従来の技術】
近年、ファクシミリ装置は、画像データを簡単な操作で送受信できる装置として、ほぼすべての企業に普及している。また、インターネットやイントラネットの急速な普及により、多くの企業においてパソコンやワークステーションをネットワークに接続して、電子メール通信を行ったりＷＷＷブラウザでホームページをアクセスすることが行われている。
【０００３】
また、ファクシミリ装置で受信したデータを各自のパソコンに取り込んだり、各パソコンからネットワーク経由でファクシミリ送信をするために、ＦＡＸサーバをネットワークに接続してファクシミリ送受信している企業も多い。
【０００４】
以下、従来の技術を図面を用いて説明する。図１０は、従来のＦＡＸサーバを使用してファクシミリの送受信を行う場合のシステム構成図である。図１０において、ＦＡＸモデム１００１は、電話回線に接続されている。ＦＡＸサーバ１００２は、ＦＡＸモデム１００１を介してファクシミリデータの送受信を行う。ファイルサーバ１００３は、ファクシミリ送受信データを蓄積する。クライアントパソコン１００４は、専用アプリケーションを動作させてファクシミリデータの送受信を指示する。
【０００５】
以上のように構成された従来のＦＡＸサーバを使用した場合のクライアントパソコンの受信動作を説明する。まず、ＦＡＸモデム１００１が電話回線の着信を受けてイメージデータを取り込み、ＦＡＸサーバ１００２に渡す。ＦＡＸサーバ１００２で動作しているＦＡＸサーバソフトウェアがイメージデータを受け取り、ネットワークを介してファイルサーバ１００３にイメージデータファイルとして蓄積する。ここまででファクシミリ受信データの蓄積が終了する。受信したイメージデータをクライアントパソコン１００４に取り込むためには、ユーザがクライアントパソコン１００４の専用アプリケーションを起動し、ファイルサーバ１００３よりネットワークを介してイメージデータファイルを読み出す。
【０００６】
また、最近ではインターネットＦＡＸとＷＷＷサーバを組み合わせてファクシミリ受信データを再利用する方法も提案されている。これは、インターネットＦＡＸが電話回線から受信したデータを電子メールに変換するゲートウェイ機能を利用したものである。
【０００７】
図１１は、従来のインターネットＦＡＸとＷＷＷサーバを使用してファクシミリの送受信を行う場合のシステム構成図である。図１１において、インターネットＦＡＸ１１０１は、電話回線に接続するとともにネットワークインタフェースを装備している。電子メールサーバ１１０２は、電子メールを受信し各個人に振り分ける。ＷＷＷサーバ１１０３は、受信データをホームページとして公開する専用ソフトウェアが動作するワークステーションである。クライアントパソコン１１０４は、ＷＷＷブラウザを動作させてホームページを閲覧することができる。
【０００８】
以上のように構成された従来のインターネットＦＡＸとＷＷＷサーバを使用した場合のクライアントパソコンの受信動作を説明する。
【０００９】
まず、インターネットＦＡＸ１１０１が電話回線を介して受信したイメージデータは、インターネットＦＡＸ内で電子メールの添付ファイル形式に変換されて電子メールの添付ファイルとしてＷＷＷサーバ１１０３宛てに送信される。送信された電子メールは、ネットワークを介して電子メールサーバ１１０２に受信される。受信された電子メールは、再度ネットワークを介して宛先であるＷＷＷサーバ１１０３に送信される。ＷＷＷサーバ１１０３は、電子メールの添付ファイルをイメージデータとして蓄積し、ファクシミリ受信用ホームページにリンクする。ここまででファクシミリ受信データの蓄積が終了する。受信したイメージデータをクライアントパソコン１１０４に取り込むためには、ユーザがクライアントパソコン１１０４のＷＷＷブラウザを起動してＷＷＷサーバ１１０３のファクシミリ受信ホームページにアクセスし、ネットワークを介してイメージデータファイルを読み出す。
【００１０】
【発明が解決しようとする課題】
しかし、上述のＦＡＸサーバを用いた従来技術の構成では、ファクシミリ受信データがクライアントパソコンに到達するまでに、ＦＡＸサーバとファイルサーバ間、ファイルサーバとクライアントパソコン間で、ネットワークを介したイメージデータの転送が２回発生し、ネットワークトラフィックが増大するという問題がある。
【００１１】
また、ファクシミリ受信データを蓄積するためのファイルサーバおよびクライアントパソコンでファクシミリデータを送受信するための専用アプリケーションを必要とするため、コストがかかるという問題がある。
【００１２】
また、上述のインターネットＦＡＸとＷＷＷサーバを用いた従来技術の構成では、ファクシミリ受信データがクライアントパソコンに到達するまでに、インターネットＦＡＸと電子メールサーバ間、電子メールサーバとＷＷＷサーバ間、ＷＷＷサーバとクライアントパソコン間で、ネットワークを介したイメージデータの転送が３回発生するうえ、電子メールに添付したイメージデータはバイナリデータの約１．３倍に膨れ上がるため、一層ネットワークトラフィックが増大するという問題がある。
【００１３】
また、ＷＷＷサーバ用のワークステーションおよび受信データをホームページとして公開するための専用アプリケーションを必要とするため、コストがかかるという問題がある。
【００１４】
本発明は、上述の課題に鑑みて為されたもので、データ転送によるネットワークトラフィックを低減させることのでき、利用範囲を飛躍的に向上させることのできるネットワーク通信装置を提供することを目的とする。
【００１５】
【課題を解決するための手段】
本発明は、上述の目的を達成するため、ネットワークが接続されるネットワーク制御手段と、このネットワーク制御手段とは別に設けられたイメージデータを入力する入力手段と、前記ネットワーク制御手段とは別に設けられたイメージデータを出力する出力手段と、前記ネットワーク制御手段または前記入力手段から入力されたイメージデータを格納する記憶手段と、この記憶手段に格納されるイメージデータのファイル名と格納される順に振られる文書番号とを含むＨＴＭＬファイルを作成するＨＴＭＬファイル作成手段と、前記ネットワーク制御手段を介して入力されるクライアント端末からの指示に基づいて、前記ＨＴＭＬファイル作成手段により作成されたＨＴＭＬファイルを前記クライアント端末に送信して受信リストとして表示させるとともに、前記クライアント端末からの指示に基づいて前記記憶手段に格納されたイメージデータを前記ネットワーク制御手段または前記出力手段のいずれかに出力させるＷＷＷサーバ手段とを備えた。
【００１６】
【発明の実施の形態】
第１の態様の発明は、ネットワークが接続されるネットワーク制御手段と、このネットワーク制御手段とは別に設けられたイメージデータを入力する入力手段と、前記ネットワーク制御手段とは別に設けられたイメージデータを出力する出力手段と、前記ネットワーク制御手段または前記入力手段から入力されたイメージデータを格納する記憶手段と、この記憶手段に格納されるイメージデータのファイル名と格納される順に振られる文書番号とを含むＨＴＭＬファイルを作成するＨＴＭＬファイル作成手段と、前記ネットワーク制御手段を介して入力されるクライアント端末からの指示に基づいて、前記ＨＴＭＬファイル作成手段により作成されたＨＴＭＬファイルを前記クライアント端末に送信して受信リストとして表示させるとともに、前記クライアント端末からの指示に基づいて前記記憶手段に格納されたイメージデータを前記ネットワーク制御手段または前記出力手段のいずれかに出力させるＷＷＷサーバ手段とを備える構成とした。
【００１７】
この構成により、クライアント端末にはＨＴＭＬファイルによる受信リストを送信するだけであるため、ネットワークトラフィックを低減することができる。また、ネットワーク制御手段または他の入力手段から入力されたイメージデータに連番が付与されてファイル名とともにＨＴＭＬファイル作成手段により管理がされるため、クライアント端末においては受信リストを一覧するだけで格納されているイメージデータを確認できる。さらに、選択したイメージデータをネットワーク制御手段または他の出力手段のいずれかを選んで出力させるため、ネットワークを介して受信したイメージデータを他の出力手段に出力させたり、他の入力手段から入力したイメージデータをネットワークに出力させるといった制御が容易に行える。
【００１８】
また第２の態様の発明は、第１の態様において、前記入力手段が、ＦＡＸ通信手段である構成とした。
【００１９】
この構成により、ＦＡＸ通信手段から入力したイメージデータをネットワークに出力させる制御が容易に行える。
【００２０】
また第３の態様の発明は、第１の態様において、前記出力手段が、ＦＡＸ通信手段である構成とした。
【００２１】
この構成により、ネットワークを介して受信したイメージデータをＦＡＸ通信手段に出力させる制御が容易に行える。
【００３４】
以下、本発明の一実施の形態について図面を参照して説明する。図１は、本発明の一実施例によるネットワークファクシミリ装置の概略ブロック図である。図１において、ＣＰＵ１は装置全体の制御を行う。ＲＯＭ２はプログラムが記憶される読み取り専用メモリであり、ＨＴＭＬファイル生成部１１、ＷＷＷサーバ部１２、電子メール通信部１３、ＴＩＦＦ変換部１４の各プログラムが内蔵されている。ＲＡＭ３はＲＯＭ２に記憶されるプログラムのデータ用として使用されるメモリである。自己の電子メールアドレスを保持した電子メールソフトウェアやＵＲＬアドレス等もＲＡＭ３に記憶されている。外部記憶部４はハードディスク等のメモリであり、圧縮されたイメージデータやＨＴＭＬファイルなどが格納される。スキャナ部５は原稿などのイメージデータの読み取りを行う。プリンタ部６は受信したイメージデータまたは読み取ったイメージデータの印刷を行う。
【００３５】
パネル部７はイメージの読み込み指示や送信先の宛先入力などの操作を行う。圧縮・伸長部８は受信したイメージデータの伸長または読み取ったイメージデータの圧縮を行う。ＦＡＸ・音声通信部９は電話回線に接続し、ファクシミリ通信や音声通信を行う。ネットワーク制御部１０はネットワークに接続し、インターネット通信を行う。ＨＴＭＬファイル生成部１１は受信したイメージデータのリストなどをホームページ上で閲覧可能なＨＴＭＬファイルとして生成する。ＷＷＷサーバ部１２はＷＷＷブラウザソフトとＨＴＴＰプロトコル通信を行い、ホームページデータ（ＨＴＭＬファイル）の受け渡しをする。電子メール通信部１３はネットワークを介して電子メールの送受信を行う他、電子メールサーバ機能を有す。ＴＩＦＦ変換部１４はファクシミリ符号化データや文書ファイルデータをＴＩＦＦ形式に変換する。
【００３６】
図２は、本発明の一実施例によるネットワークファクシミリ装置を用いた場合のシステム構成図である。図２において、ネットワークファクシミリ装置２０１は電話回線に接続するとともにネットワークインタフェースを装備し、図１に示すようにＷＷＷサーバ部、電子メール通信部を内蔵している。クライアントパソコン２０２はＷＷＷブラウザを動作させてホームページの閲覧を行う。
【００３７】
以上のように構成したネットワークファクシミリ装置の受信動作を図３のフロー図に従って説明する。ステップ（以下ＳＴと略す。）３０１において、受信形態が電話回線かインターネットかを判断する。ＳＴ３０２〜ＳＴ３０７において、インターネットからの受信である場合、電子メール通信部１３が電子メールを受信し、添付データが画像ファイルの標準フォーマットであるＴＩＦＦ(Tag Images File Format)形式のイメージデータであれば、例えば「mail0001.tif」というようなファイル名を付与して外部記憶部４に格納し、音声データであれば「audio0001.wav」というようなファイル名を付与して外部記憶部４に格納する。電話回線からの受信である場合、ＦＡＸ・音声通信部９がイメージデータまたは音声データを受信し、イメージデータであればＴＩＦＦ変換部１４に依頼して符号化データをＴＩＦＦ形式に変換してから、例えば「fax0001.tif」というようなファイル名を付与して外部記憶部４に格納し、音声データであれば、デジタル変換した後、ファイル名を付与して外部記憶部４に格納する。なお、設定によりネットワークファクシミリ装置の電話機の呼び出し音を鳴らして直接受話器を取って会話することも可能である。
【００３８】
ＨＴＭＬファイル生成部１１は、外部記憶部４に格納される図５に示す受信リストテーブルを管理しており、ＳＴ３０８において、ＦＡＸ・音声通信部または電子メール通信部から受信データに付与したファイル名を受け取ると、そのファイル名を受信リストテーブルに追加する。また、その際に、格納順に振られる文書番号、電子メール通信部から通知される電子メールの標題（ファクシミリ受信時は「Ｇ３ＦＡＸ受信文書」などの固定文字列）、受信リストテーブルに登録された日時、発信者名なども合わせて記憶される。次に、ＨＴＭＬファイル生成部１１は、更新した受信リストテーブルを基に、受信リストをブラウザ上で表示するためのＨＴＭＬファイルも更新する。具体的には、図６の符号６０２のＦＡＸ受信リストページを表示するために予め用意されているＨＴＭＬファイルを読み込んで図５の受信リストテーブル内に新たに格納された管理データである文書番号等の文字列を書き込んで編集する。編集された文書番号の文字列「０００１」には、<A HREF=”fax0001.tif”>のタグが付けられることにより、「０００１」の文字列と受信ファイルであるfax0001.tifとがリンクされることになる。
【００３９】
ＳＴ３０９において、受信データが音声データであればそのまま終了する。
【００４０】
ネットワークファクシミリ装置は外部記憶部４に受信イメージデータを格納した時点で即時にイメージデータをプリンタ部６より印刷させるように設定することができる。
【００４１】
ＳＴ３１０において、この即時印刷設定になっているか否かをチェックし、否であれば受信動作を終了する。即時印刷設定がされていれば、ＳＴ３１１〜ＳＴ３１２において、外部記憶部にＴＩＦＦ形式で格納されているイメージデータを圧縮・伸長部８により伸長してから、プリンタ部６に送って印刷する。
【００４２】
次に、ネットワークファクシミリ装置が受信蓄積したデータをクライアントパソコンに送出する動作を、図４のフロー図に従って説明する。ネットワークファクシミリ装置はＳＴ４０１において、ホームページアドレス（ＵＲＬアドレス）が入力されるまでは待機状態にある。ネットワークに接続されたクライアントパソコンが、ＳＴ４０２において、ＷＷＷブラウザ（ホームページ閲覧ソフト）を起動し、ネットワークファクシミリ装置のＵＲＬアドレスを入力してホームページにアクセスする。このアクセスを受けて、ネットワークファクシミリ装置はＳＴ４０３において、ネットワーク制御部１０をとおしてＷＷＷサーバ部１２が処理を開始し、外部記憶部４に格納されているホームページデータ（ＨＴＭＬファイル）をクライアントパソコンのＷＷＷブラウザに送出する。これにより、ＳＴ４０４において、クライアントパソコン上に、ネットワークファクシミリ装置のホームページが、例えば図６の符号６０１のように表示される。次の選択があるまでネットワークファクシミリ装置は、ＳＴ４０５により、そのまま待機する。
【００４３】
ＳＴ４０６〜ＳＴ４０８において、ユーザが、表示データの中から「ＦＡＸ受信リスト」を選択すると、ネットワークファクシミリ装置はこの文字列にリンクされているＦＡＸ受信リストのＨＴＭＬファイルを送出するので、クライアントパソコンのＷＷＷブラウザ上でＦＡＸ受信リストが図６の符号６０２のように表示される。次の選択があるまでネットワークファクシミリ装置は、ＳＴ４０９により、そのまま待機する。ＳＴ４１０〜ＳＴ４１２において、ユーザがＦＡＸ受信リストの中からファイルを表示選択すると、ネットワークファクシミリ装置はイメージデータファイルを送出するので、クライアントパソコンのＷＷＷブラウザ上でイメージデータ(例えば、file0001.tif)が、ＴＩＦＦファイルを表示するためのヘルパーアプリケーションを経て、図６の符号６０３のように表示される。
【００４４】
上述の例では、ＦＡＸ受信したデータを表示する場合について説明したが、音声ファイルが選択された場合は、リンクされている音声データがクライアントパソコンのスピーカから再生される。音声データには、外部から受信した音声データの他、ネットワークファクシミリ装置の受話器に自らふきこんだ音声データなどがあり、これらをホームページにリンクさせたり、外部に発信したりすることができる。
【００４５】
次に、クライアントパソコンのＷＷＷブラウザからネットワークファクシミリ装置の送信を行う動作について説明する。この送信動作には、ネットワークファクシミリ装置に蓄積されているデータを送信する場合と、クライアントパソコン上の文書ファイルを送信する場合とが考えられる。
【００４６】
まず、ネットワークファクシミリ装置に蓄積されているデータを送信する場合について、図７のフロー図に従って説明する。ネットワークファクシミリ装置はＳＴ７０１において、ホームページアドレス（ＵＲＬアドレス）が入力されるまでは待機状態にある。ネットワークに接続されたクライアントパソコンが、ＳＴ７０２において、ＷＷＷブラウザ（ホームページ閲覧ソフト）を起動し、ネットワークファクシミリ装置のＵＲＬアドレスを入力してホームページにアクセスする。このアクセスを受けて、ネットワークファクシミリ装置はＳＴ７０３において、ネットワーク制御部１０をとおしてＷＷＷサーバ部１２が処理を開始し、外部記憶部４に格納されているホームページデータ（ＨＴＭＬファイル）をクライアントパソコンのＷＷＷブラウザに送出する。これにより、ＳＴ７０４において、クライアントパソコン上に、ネットワークファクシミリ装置のホームページが、表示される（図６の符号６０１）。次の選択があるまでネットワークファクシミリ装置は、ＳＴ７０５により、そのまま待機する。
【００４７】
ＳＴ７０６〜ＳＴ７０８において、ユーザは、図６の符号６０２の画面から目的のファイルを選択してメニューの「送信」を押す。ネットワークファクシミリ装置は、ＳＴ７０９において、送信を指示するためのページを送出（図示せず）し、ＳＴ７１０においてクライアントパソコン上に表示される。ＳＴ７１１〜ＳＴ７１３において、ユーザが送信先のファクシミリ番号あるいはメールアドレスを指定して送信指示を行うと、送信指示されたＷＷＷサーバ部１２は、ＣＧＩインタフェースにより送信のためのＣＧＩプログラムを起動して送信処理を実行する。
【００４８】
次に、クライアントパソコン上の文書ファイルをネットワークファクシミリ装置により送信する場合について、図８のフロー図に従って説明する。クライアントパソコンのユーザは、ＳＴ８０１〜ＳＴ８０２において、ワープロソフト等により目的の文書ファイルを開き、ネットワークファクシミリ装置をプリンタとして指定し印刷時と同様の指示を行う。
【００４９】
ＳＴ８０３〜ＳＴ８０５において、ネットワークファクシミリ装置は、ネットワーク制御部１０がクライアントパソコンからの送信データを受け取り、これをＴＩＦＦ変換部１４に依頼してＴＩＦＦ形式に変換し、ファイル名を付与して外部記憶部４に格納する。さらに、ＨＴＭＬファイル生成部にファイルの格納を通知する。
【００５０】
ＳＴ８０６において、通知を受けたＨＴＭＬファイル生成部１１は、そのファイル情報を受信リストテーブル（図５参照）に追加するとともに、ファイル情報をブラウザ上で表示するためのＨＴＭＬファイルも更新する。
【００５１】
以上のようにして、クライアントパソコン上の文書ファイルをネットワークファクシミリ装置にいったん蓄積する。その後、図７に示した蓄積済みのデータを送信する場合と同様にして送信を行う。送信ではなく実際に印刷のみを行いたい場合は、データをプリンタ部６へただちに送り印刷させることもできる。
【００５２】
上述では、一度外部記憶部４に送信データを蓄積してから送信する例を挙げたが、ユーザが印刷指示を行う際にファクシミリ番号あるいはメールアドレスを入力させるようにして、送信データをＴＩＦＦ形式に変換した後すぐにＣＧＩインタフェースにより送信プログラムを起動して送信するようにしても良い。
【００５３】
次に、クライアントパソコンのＷＷＷブラウザ上からネットワークファクシミリ装置の装置設定を行う動作について説明する。ネットワークファクシミリ装置のホームページには、ユーザ設定、宛先登録等各種装置設定を行うための入力画面が用意されている。クライアントパソコンのユーザは、ＷＷＷブラウザを起動してネットワークファクシミリ装置のホームページにアクセスし、目的の装置設定を行うためのページを表示する。例えば、送信に関する設定ページを開き、文字サイズとして細密を指定して「設定」ボタンを押下すると、ＷＷＷサーバ部１２が「設定」ボタンにリンクされる設定プログラムをＣＧＩインタフェースにより実行してネットワークファクシミリ装置の設定を行う。
【００５４】
次に、ネットワークファクシミリ装置が装置状態をＨＴＭＬファイルで生成する動作について図９のフロー図に従って説明する。ＳＴ９０１において、スキャナ部８、プリンタ部６、パネル部７、ＦＡＸ・音声通信部９はそれぞれ常時自己の状態の変化を監視している。
【００５５】
ＳＴ９０２〜ＳＴ９０３において、例えば、プリンタ部６が用紙切れとなった場合など状態に変化が生じたとき、プリンタ部６は変化の内容をＨＴＭＬファイル生成部１１に通知する。
【００５６】
ＳＴ９０４において、ＨＴＭＬファイル生成部１１は、予めステータス（装置状態）情報を表示するためのＨＴＭＬファイル並びに状態を絵で表したＧＩＦファイルを多数保持しているので、状態の変化に合わせて常時、ＨＴＭＬファイルの内容の更新及びＧＩＦファイルの差し替えを行っている。
【００５７】
クライアントパソコンのユーザは、ステータス（装置状態）情報を参照する際には、ＳＴ９０５〜ＳＴ９１２において、ＷＷＷブラウザを起動してネットワークファクシミリ装置のホームページを表示し、スキャナ部８、プリンタ部６、パネル部７、ＦＡＸ・音声通信部９それぞれのステータス情報を選択して表示させることにより、常に最新の装置状態を知ることができる。
【００５８】
なお、クライアントパソコンのユーザが、すでにネットワークファクシミリ装置のホームページにアクセスしている最中であっても、装置状態に変化が生じた時点でネットワークファクシミリ装置はＨＴＭＬファイルの内容の更新及びＧＩＦファイルの差し替えを行うので、リアルタイムで装置状態を把握することができる。
【００５９】
上述において説明した動作以外にも、ファクシミリ通信ログ、ファクシミリ装置のマニュアル等をＨＴＭＬファイルで生成し、ＷＷＷブラウザにより閲覧可能とするなど様々な形態が考えられる。
【００６０】
【発明の効果】
以上の説明から明らかなように、本発明は、ネットワーククライアントはブラウザソフトを利用してデータ送出装置を利用することが可能となるため、ネットワークトラフィックを増大させることなく、ネットワーク通信装置の利用範囲を飛躍的に拡大させることができる。
【図面の簡単な説明】
【図１】本発明の一実施の形態によるネットワークファクシミリ装置の構成を示す概略ブロック図
【図２】上記実施の形態のネットワークファクシミリ装置を用いたネットワークシステムの構成図
【図３】上記実施の形態のネットワークファクシミリ装置の受信動作を説明するフロー図
【図４】上記実施の形態のネットワークファクシミリ装置の蓄積データをクライアントパソコンに送出する動作を説明するフロー図
【図５】上記実施の形態のネットワークファクシミリ装置のＦＡＸ受信リストの内容を表す図
【図６】上記実施の形態のネットワークファクシミリ装置のホームページの内容を表す図
【図７】上記実施の形態のネットワークファクシミリ装置の蓄積データを送信する動作を説明するフロー図
【図８】上記実施の形態のネットワークファクシミリ装置にクライアントパソコンの文書ファイルを蓄積してから送信する動作を説明するフロー図
【図９】上記実施の形態のネットワークファクシミリ装置が作成したステータス情報をクライアントパソコンに送出する動作を説明するフロー図
【図１０】従来のＦＡＸサーバを使用した場合のシステム構成図
【図１１】従来のインターネットＦＡＸとＷＷＷサーバを使用した場合のシステム構成図
【符号の説明】
９  ＦＡＸ・音声通信部
１０  ネットワーク制御部
１１  ＨＴＭＬファイル生成部
１２  ＷＷＷサーバ部
１３  電子メール通信部
２０１  ネットワークファクシミリ
２０２  クライアントパソコン
【図１】
0003647830.tif 000002
【図２】
0003647830.tif 000003
【図３】
0003647830.tif 000004
【図４】
0003647830.tif 000005
【図５】
0003647830.tif 000006
【図６】
0003647830.tif 000007
【図７】
0003647830.tif 000008
【図８】
0003647830.tif 000009
【図９】
0003647830.tif 000010
【図１０】
0003647830.tif 000011
【図１１】
0003647830.tif 000012